(57)【要約】  携帯型電子機器用の保護システムは、第１の衝撃吸収パネルと、第２の衝撃吸収パネルと、パネルの間に挿入された携帯型電子機器の厚さに対応するためにパネルを離して保持するように適合された複数のスペーサーとを含んでもよい。システムは、周囲に複数の取り付けスロットを有する第１の剛性シェルと、第１のシェルの内側上の第１の衝撃吸収材料と、周囲に複数の取り付けスロットを有する第２の剛性シェルと、第２のシェルの内側上の第２の衝撃吸収材料と、取り付けスロットでシェルに取り付けるように適合された複数のスペーサーとを含んでもよく、スペーサーが、パネルを前記パネルの内側が互いに向き合うように離して保持し、それによって、シェルとスペーサーとの間に携帯型電子機器のための保護された空間を形成する。【選択図】図１
2021514118.tif 000002
【特許請求の範囲】
【請求項１】
携帯型電子機器用の保護システムであって、
第１の衝撃吸収パネルと、
第２の衝撃吸収パネルと、
前記パネルの間に挿入された携帯型電子機器の厚さに対応するために前記パネルを離して保持するように適合された複数のスペーサーと、を含む、保護システム。
【請求項２】
前記スペーサーおよび前記パネルが、異なる厚さを有する携帯型電子機器を収容するように適合される、請求項２に記載のシステム。
【請求項３】
前記スペーサーを、異なるフットプリントを有する携帯型電子機器を収容するように再配置することができる、請求項２に記載のシステム。
【請求項４】
前記スペーサーが、前記パネルで衝撃吸収構造を形成する、請求項２に記載のシステム。
【請求項５】
前記構造が、前記パネルの少なくとも１つの材料を変形させることによって衝撃を吸収する、請求項４に記載のシステム。
【請求項６】
前記構造が、前記パネルの少なくとも１つの剛性材料を破壊させることによって衝撃を吸収する、請求項５に記載のシステム。
【請求項７】
前記構造が、前記スペーサーのうちの１つまたは複数を前記パネルの少なくとも１つに対して移動させることによって衝撃を吸収する、請求項４に記載のシステム。
【請求項８】
携帯型電子機器用の保護システムであって、
その周囲に複数の取り付けスロットを有する第１の剛性シェルと、
前記第１のシェルの内側上の第１の衝撃吸収材料と、
その周囲に複数の取り付けスロットを有する第２の剛性シェルと、
前記第２のシェルの内側上の第２の衝撃吸収材料と、
前記取り付けスロットで前記シェルに取り付けるように適合された複数のスペーサーであって、前記スペーサーが、前記パネルを前記パネルの内側が互いに向き合うように離して保持し、それによって、前記シェルと前記スペーサーとの間に前記携帯型電子機器のための保護された空間を形成する、複数のスペーサーと、を含む、保護システム。
【請求項９】
前記スロットが、前記スペーサーが前記シェル上に再配置されることを可能にするように配置される、請求項８に記載のシステム。
【請求項１０】
前記スロットが、前記スペーサーが前記衝撃力に応答して移動することを可能にするように配置される、請求項９に記載のシステム。
【請求項１１】
前記スロットの少なくともいくつかは、前記シェルの中心から前記シェルの周辺まで延びる幾何学的構成要素を有する線に沿って配置された１つまたは複数のセクションを含む、請求項８に記載のシステム。
【請求項１２】
前記シェルの少なくとも１つが、ユーザーが携帯型電子機器を握って前記保護された空間から前記携帯型電子機器を取り外すことを可能にするアクセススロットを含む、請求項８に記載のシステム。
【請求項１３】
前記スペーサーの少なくともいくつかが、締結具を使用して支柱を前記シェルに取り付けることを可能にするためのねじ山を有する前記支柱を含む、請求項８に記載のシステム。
【請求項１４】
前記スペーサーがめねじを有し、
前記締結具がネジを含む、請求項１３に記載のシステム。
【請求項１５】
前記スペーサーの少なくともいくつかが、バンパーを含む、請求項８に記載のシステム。
【請求項１６】
前記シェルの縁を緩衝するように適合されたバンパーをさらに含む、請求項８に記載のシステム。
【請求項１７】
前記バンパーが、前記シェルの縁と係合するための２つの溝を含む、請求項１６に記載のシステム。
【請求項１８】
衝撃吸収材料を有する第１のシェルの内側に複数のスペーサーを取り付けること、および、
衝撃吸収材料を有する第２のシェルの内側に前記スペーサーを取り付け、それにより前記第１のシェルと前記第２のシェルとの間に携帯型電子機器のための保護された空間を作り出すことを含む、方法。
【請求項１９】
前記第１のシェルと前記第２のシェルとの間の前記保護された空間内に携帯型電子機器を摺動させることをさらに含む、請求項１８に記載の方法。
【請求項２０】
前記携帯型電子機器のサイズおよび形状に対応するように前記第１および前記第２のシェル上の前記スペーサーの位置を調整することをさらに含む、請求項１８に記載の方法。
【請求項２１】
前記スペーサーの前記位置を調整することは、前記第１および前記第２のシェルのスロットに沿って前記スペーサーの位置を移動させることを含む、請求項２０に記載の方法。
【請求項２２】
前記携帯型電子機器の厚さに対応するように前記スペーサーの長さを調整することをさらに含む、請求項１８に記載の方法。
【請求項２３】
前記スペーサーの前記長さを調整することは、異なる長さのスペーサーを使用することを含む、請求項２２に記載の方法。
【発明の詳細な説明】
【背景技術】
【０００１】
関連出願の参照
本出願は、参照により組み込まれる、２０１８年２月１５日に出願された米国仮特許出願第Ｎｏ．６２／６３１，４１５の優先権を主張する。
【０００２】
著作権
この特許文書の開示の一部には、著作権保護の対象となる資料が含まれている。著作権所有者は、特許商標庁の特許ファイルまたは記録に現れるが、それ以外の場合は、全ての著作権を留保するため、特許開示のいずれかによるファクシミリ複製に異議を唱えない。
【０００３】
ラップトップコンピューター、タブレット、スマートフォンなどの携帯型電子機器の保護ケースは、ほとんどの場合、特定のモデルの機器に適合するようにカスタム設計されている。マルチ機器またはユニバーサルフィットのケースが利用可能であるが、フィットまたはパフォーマンスが低下する傾向がある。カスタムフィットのケースでさえ、通常、衝撃力などのストレスや衝撃から最小限の保護しか提供しない。
【発明の概要】
【０００４】
この特許出願の発明の原理のいくつかは、保護システムが、パネル間に挿入された携帯型電子機器の厚さに対応するため第１の衝撃吸収パネル、第２の衝撃吸収パネル、およびパネルを離して保持するように適合された複数のスペーサーを含む携帯型電子機器の保護システムに関係する。スペーサーおよびパネルは、異なる厚さを有する携帯型電子機器を収容するように適合させることができる。スペーサーは、異なるフットプリントを有する携帯型電子機器を収容するために再配置可能であり得る。スペーサーは、パネルで衝撃吸収構造を形成する場合がある。構造は、パネルの少なくとも１つの材料を変形させることによって、またはパネルの少なくとも１つの剛性材料を破壊させることによって、衝撃を吸収することができる。構造は、１つまたは複数のスペーサーを少なくとも１つのパネルに対して移動させることによって衝撃を吸収することができる。
【０００５】
この特許出願の他のいくつかの発明の原理は、保護システムが、周囲に複数の取り付けスロットを有する第１の剛性シェルと、第１のシェルの内側上の第１の衝撃吸収材料と、周囲に複数の取り付けスロットを有する第２の剛性シェルと、第２のシェルの内側上の第２の衝撃吸収材料と、取り付けスロットでシェルに取り付けるように適合された複数のスペーサーとを含み、スペーサーは、パネルの内側が互いに向き合うようにパネルを離して保持し、それにより、シェルとスペーサーの間に携帯型電子機器のための保護された空間を形成する、携帯型電子機器の保護システムに関係する。スロットは、スペーサーをシェル上に再配置できるように配置することができる。スロットは、衝撃力に応答してスペーサーが動くことを可能にするように配置され得る。スロットの少なくともいくつかは、略シェルの中心からシェルの周辺まで延びる幾何学的構成要素を有する線に沿って配置された１つまたは複数の線形セクションを含み得る。シェルの少なくとも１つは、ユーザーが携帯型電子機器を握って保護された空間からそれを取り外すことを可能にするためのアクセススロットを含み得る。スペーサーの少なくともいくつかは、締結具を使用して支柱をシェルに取り付けることを可能にするためのねじ山を有する支柱を含み得る。スペーサーにはめねじがあり締結具にはネジが含まれていてもよい。システムは、シェルの縁を緩衝するように適合されたバンパーを含み得、バンパーは、シェルの縁と係合するための２つの溝を含み得る。
【０００６】
この特許出願の他のいくつかの発明の原理は、衝撃吸収材料を有する第１のシェルの内側に複数のスペーサーを取り付けることと、衝撃吸収材料を有する第２のシェルの内側にスペーサーを取り付けることとを含む方法に関し、これにより、第１のシェルと第２のシェルの間に携帯型電子機器用の保護された空間が作成される。この方法は、携帯型電子機器を第１のシェルと第２のシェルとの間の保護された空間に摺動させることを含み得る。この方法は、携帯型電子機器のサイズおよび形状に対応するために、第１および第２のシェル上のスペーサーの位置を調整することを含み得る。スペーサーの位置を調整することは、第１および第２のシェルのスロットに沿ってスペーサーの位置を移動することを含み得る。この方法は、携帯型電子機器の厚さに対応するようにスペーサーの長さを調整することを含み得る。スペーサーの長さの調整には、異なる長さのスペーサーの使用が含まれてもよい。
【図面の簡単な説明】
【０００７】
【図１】図１は、本特許開示の本発明の原理による、携帯型電子機器のための保護システムの第１の実施形態を示している。
【図２】図２は、本特許開示の本発明の原理による、図１の実施形態の分解図である。
【図３】図３は、図１の実施形態の平面図であり、本特許開示の本発明の原理に従い、上部パネルが取り外され、携帯型電子機器がスペーサー間の保護された空間に配置されることを示している。
【図４】図４は、本特許開示の本発明の原理による、スペーサー、パネル、および締結具の実施形態の断面図である。
【図５】図５~８は、本特許開示の本発明の原理による、シェルおよび衝撃吸収材料の縁のいくつかの可能なプロファイルを示す断面図である。
【図６】同上。
【図７】同上。
【図８】同上。
【図９】図９、９Ａおよび１０は、本特許開示の本発明の原理による、取り付けスロットのいくつかの追加の配置を示している。
【図９Ａ】同上。
【図１０】同上。
【図１１】図１１は、本特許開示の本発明の原理による、携帯型電子機器の保護システム用のバンパーの実施形態を示している。
【図１２】図１２および１３は、図１１のバンパーの断面図である。
【図１３】同上。
【図１４】図１４は、本特許開示の本発明の原理による、携帯型電子機器の保護システムの設計の斜視図である。
【発明を実施するための形態】
【０００８】
図１は、本特許開示の本発明の原理による、携帯型電子機器のための保護システムの第１の例示的な実施形態を示す。図１のシステムは、第１の衝撃吸収パネル１００と、第２の衝撃吸収パネル１０２と、パネル間に挿入された携帯型電子機器の厚さに対応するケースを形成するようにパネルを離して保持するように適合された複数のスペーサー１０４とを含む。（図１４は、パネル間のケースに挿入された機器の例を示している。）
【０００９】
再び図１を参照すると、スペーサー１０４およびパネル１００、１０２は、異なる厚さおよびフットプリントを有する携帯型電子機器を収容するように適合され得る。パネル間の距離は、スペーサー１０４の長さを変更することによって調整することができ、それにより、以下でより詳細に説明するように、異なる厚さの機器を収容することができる。スペーサー１０４の位置は、Ｘ字型の取り付けスロット１０６および単一の取り付けスロット１０８に沿ってそれらを移動することによって変更することができ、それにより、以下でより詳細に説明するように、異なるフットプリントの機器を収容する。図１の例では、スペーサーはネジ１１０でパネルに固定される。アクセススロット１１２は、ユーザーが携帯型電子機器を握って保護された空間からそれを取り外すことを可能にするために提供される。図面が不明瞭にならないようするため、全てのスペーサーとスロットに番号が付けられているわけではない。
【００１０】
図２は、図１の実施形態の分解図であり、図を不明瞭にしないようにするため、スペーサー１０４のうちの１つだけが示される。上部パネル１００は、その周囲の周りに複数の取り付けスロット１０６および１０８を有する第１の剛性シェル１１４と、第１のシェル１１４の内側に取り付けられる第１の衝撃吸収材料１１６とを含む。底部パネル１０２は、その周囲の周りに複数の取り付けスロット１０６および１０８を有する第２の剛性シェル１１８と、第２のシェル１１８の内側に第２の衝撃吸収材料１２０とを含む。スペーサー１０４は、スペーサーが、シェルをそれらの内側が互いに向き合うように離して保持し、それによって、シェルとスペーサーの間の携帯型電子機器のための保護された空間を形成するように、取り付けスロット１０６および１０８でシェル１１４および１１８に取り付けられるように適合され、
【００１１】
図２の例では、各スペーサー１０４は、シェルのスロットを通過するネジ１１０のおねじと噛み合うように両端にめねじを有する支柱１２２を含み、それによってスペーサーをシェルに固定する。各スペーサー１０４はまた、携帯機器に追加のクッションを提供するためのバンパー１２６を含む。
【００１２】
シェル１１４および１１８のそれぞれは、アクセススロット１１５を含み、衝撃吸収材料１１６および１２０のそれぞれは、アクセススロット１１７を含む。衝撃吸収材料１１６および１２０はまた、シェル内の対応するスロット１０６および１０８とそれぞれ整列するスロット１２４および１２５を含む。
【００１３】
図３は、図１の実施形態の平面図であり、上部パネル１００が取り外され、携帯型電子機器１２８がスペーサー１０４の間の保護された空間に配置されることを示している。図面が不明瞭にならないようするため、全てのスペーサーとスロットに番号が付けられているわけではない。図３の例では、スペーサー１０４は、ケース内での機器の動きを防ぐために、機器１２８に対して直接上に配置される。ユーザーの好みに応じて、スペーサー１０４は、スロット１０６および１０８に沿って機器１２８から外側に移動して、機器とスペーサーとの間にギャップを提供することができる。スペーサーは、ネジ１１０を緩め、スペーサーが再配置された後にそれらを再び締めることによって移動することができる。
【００１４】
第１の機器１２８よりもフットプリントが小さい第２の携帯型電子機器１３０が、図３の想像線の輪郭で示される。スペーサー１０４は、スロット１０６および１０８に沿って内側に移動して、それらをより小さな機器１３０に対して再配置することができる。機器のフットプリントにより、スペーサーのいずれかがＸ字型スロット１０６の１つの中心に直接配置される場合、機器は、スペーサーがＸ字型スロットの中心から離れるように、シェルに対してＸ方向またはＹ方向のいずれかまたは両方に横方向に移動することができる。
【００１５】
図４は、本特許開示の本発明の原理による、スペーサー、パネル、および締結具の実施形態の断面図である。図４の図は、矢印４によって示されるように、図１の実施形態の断面である。図４の例示的な実施形態では、シェル１１４および１１８のスロット１０６および１０８は、ネジ１１０のねじ部分が干渉することなく通過することを可能にするのに十分な幅でありながら、ネジ１１０が支柱に締め付けられたときに、スペーサーとパネルとの間に堅固な接続を提供するために、支柱１２２の端部がシェル１１４および１１８に対して直接静止することを可能にするよう、表面１３２でショルダーを形成するほど十分狭い。衝撃吸収材料１１６および１２０のスロット１２４および１２５は、支柱１２２が衝撃吸収材料からの干渉なしにシェルを通過できるように、シェル１１４および１１８のスロット１０６および１０８よりも幅が広い。いくつかの実施形態では、ネジは、ソケットヘッドキャップネジであり得る。
【００１６】
衝撃吸収材料１１６および１２０は、支柱１２２に直接接触して示されるが、衝撃吸収材料と支柱との間にいくらかのスペースがあり得る、すなわち、スロット１２４および１２５は、悪影響なしに広くすることができる。同様に、バンパー１２６は、衝撃吸収材料１１６および１２０に直接接触して示される。しかし、バンパーは短くして、つまり、バンパーと衝撃吸収材料の間にスペースを作成し得る、または、長くして、つまり、悪影響を与えることなく、バンパーおよび／または衝撃吸収材料の変形を引き起こし得る。
【００１７】
いくつかの実施形態では、シェル１１４および１１８は、強化複合パネルなどの高レベルの剛性、強度、および／または耐衝撃性を提供する材料から製造することができる。例えば、シェルは、補強を提供するために織られるか、さもなければ配置され、エポキシ、ポリエステル、ビニルエステルまたは他の適切な樹脂で含浸された炭素繊維から成形され得る。ケブラーやガラス繊維などの代替繊維も使用できる。シェルに適した他の材料には、アルミニウム、チタン、およびさまざまなエンジニアリングプラスチックが含まれる。
【００１８】
いくつかの実施形態では、衝撃吸収材料１１６および１２０および／またはバンパー１２６は、高レベルの衝撃吸収、散逸、および／または抵抗を提供するために、非線形または非ニュートンポリマーまたは他の発泡体またはエラストマー材料から製造され得る。衝撃吸収材料１１６および１２０は、接着剤、テープ、フックアンドループ締結具などの任意の適切な技術を介して、シェル１１４および１１８に恒久的または取り外し可能に取り付けることができる。他の適切な材料には、ネオプレンまたは他のエンジニアリングエラストマーが含まれる。衝撃吸収材料は、例えば、一方の側でより柔らかいクッションに移行する他方の側の剛性のシェルを生成する単一の材料に硬度勾配を生み出すことによって、シェルと一体的に形成することができる。
【００１９】
図５~８は、本特許開示の本発明の原理による、シェルおよび衝撃吸収材料の縁のいくつかの可能なプロファイルを示す断面図である。図６の実施形態は、本特許開示全体を通して示されるシェルのほとんどの実施形態で使用されるプロファイルである。図６の実施形態のプロファイルは、一部の消費者に魅力的なタッチ表面を提供することが見出された大半径曲率１３４および小半径曲率１３６を有し、一方、鋭い内側コーナー１３８および垂直表面１４０は、衝撃吸収材料１１６を所定の位置に位置決めおよび／または保持するのに便利なウェルを形成する。
【００２０】
図８の実施形態では、シェル１１４Ａは、他のいくつかの消費者にアピールするより技術的な感触を提供し得る平坦な外縁１４２を有する。衝撃吸収材料１１６Ａは、図８に示されるように、縁１４２と同一平面に配置され得るか、または他の実施形態では、縁から後退され得る。平坦な縁１４２はまた、他のプロファイルと比較して、シェルを製造するのにより安価にすることができる。
【００２１】
図５および７は、シェル１１４Ｂおよび１１４Ｃ、ならびに衝撃吸収材料１１６Ｂおよび１１６Ｃの縁プロファイルの他の代替の実施形態を示している。図５および図７の実施形態は、製造コストの観点から、図６と８の実施形態の間のどこかに分類され得る。それらはまた、さらに他の消費者グループにアピールするタッチ表面を提供し得る。
【００２２】
材料の１つの特に有益な組み合わせは、シェル１１４のための炭素繊維複合材料と、衝撃吸収材料１１６のためのＲｏｇｅｒｓ  ＣｏｒｐｏｒａｔｉｏｎからのＰｏｒｏｎ  ＸＲＤのようなマイクロセルラー輪郭材料の使用であり得る。この組み合わせは、ユーザーに心地よい感覚を提供するハイタッチ効果と触覚フィードバックにより、ハイエンドの美的感覚と外観を提供することができる。
【００２３】
いくつかの実施形態では、スペーサー１０４は、アルミニウムまたは他の金属から作られた支柱１２２と、ネオプレンまたは他のエラストマーから作られたバンパー１２６とで製造され得る。スペーサーは、例えば、一方の部分にめねじがあり別の部分に嵌合するおねじがあることにより、長さを調整できるようにすることができる。そのようなスペーサーの長さは、一方の部分を他方に対して回転させることによって調整することができる。希望の長さに調整したら、２つの部分の位置をロックするためにかしめナットを追加できる。いくつかの実施形態では、スペーサーは、両端におねじがありナットでシェルに固定される支柱で製造することができる。
【００２４】
いくつかの他の実施形態では、スペーサーは、一体型バンパーを備えた一体型構成要素として製造され得る。例えば、スペーサーは、シェルまたはパネル間に強力な接続を形成するのに十分な剛性があるが、機器を保護するための衝撃吸収バンパーとして機能するのに十分な弾性がある単一の材料から成形することができる。別の例として、スペーサーは、支柱のように振る舞うために内側が堅いが、バンパーとして振る舞うために外側がより柔軟である硬度勾配を有する単一の材料から製造され得る。
【００２５】
上記のネジまたはナットに加えて、スペーサーは、キー付き磁石またはスナップまたは他のバネ式固定装置などの他の適切な締結具を使用してシェルまたはパネルに取り付けることができる。ネジを使用する場合は、スパナ、３ウィング、一方向、耐タンパー性、リバースドライブなどのセキュリティタイプのドライブを含む、任意の適切なドライブスタイルを使用できる。
【００２６】
本特許開示に記載される実施形態の構成要素は、相乗的な結果を達成するために微妙かつ複雑な方法で相互作用し得る。例えば、スロットとスペーサーの組み合わせは、二重の機能を実行することができる。スロットは、さまざまなポータブル機器に対応するためにスペーサーの再配置を可能にするだけでなく、エッジワイズ成分（つまり、図１と図３に示すようにＸＹ平面のコンポーネント）を有する衝撃力の場合に、スペーサーがスロットに沿ってわずかに移動することを可能にする。例えば、ケースが図３の矢印１４６の方向にコーナー１４４上でエッジワイズに落下した場合、衝撃力により、スペーサー１０４Ａが矢印１４８の方向に移動し、一方、機器１２８の側面のくさび作用は、スペーサー１０４Ｂおよび１０４Ｃをそれぞれ矢印１５０および１５２の方向に移動させることができる。スペーサーが動くためには、スペーサーを所定の位置に保持する摩擦力に打ち勝ち、それによって衝撃エネルギーを機器からそらす必要がある。これは、バンパーの衝撃吸収作用をスペーサーに追加されえる。
【００２７】
別の例として、シェル内の剛性材料は、スペーサーと相互作用するときに複数の機能を実行し得る。スペーサーの内側（すなわち、機器上）にあるシェルの部分では、剛性シェルは、力がより多くの衝撃吸収材料によって吸収され得るより広い領域に局所的な衝撃力を分散させることができる。ただし、剛性シェルがサポートされていないスペーサーの外側では、それ自体が衝撃吸収材料のように動作し得る。したがって、スペーサーは、シェルが衝撃分散材料から衝撃吸収材料に移行し得る支持境界を形成し得る。シェルの外周に加えられた衝撃力により、シェルの材料が変形し、場合によっては破損し得る。炭素繊維のようなより剛性が高く壊れやすい材料の場合、シェルは最終的に破損し得るが、ケブラー繊維のようなより柔軟な材料の場合、シェルは変形するだけでもよい。
【００２８】
したがって、スペーサーは、パネルでさまざまな衝撃吸収構造を形成することができる。これらの構造は、例えば、１つまたは複数のスペーサーを少なくとも１つのパネルに対して移動させることにより、パネルの少なくとも１つの材料を一時的または恒久的に変形させることにより、および／またはパネルの少なくとも１つの剛性材料を破壊させることにより、さまざまな動作モードで衝撃を吸収することができる。
【００２９】
図９、９Ａおよび１０は、本特許開示の本発明の原理による、取り付けスロットのいくつかの追加の配置を示している。図９の実施形態は、シェルの縁に垂直なスロットを有する。図９Ａの実施形態は、垂直スロットと対角スロットの組み合わせを有し、スロットに交差点がない図１~３の実施形態と同じ数のスペーサー（１５）を使用することができる代替の配置を示している。図１０の実施形態は、全てのスロットが、略ケース内の機器の重心に対応し得る、ケースの中心または重心から外側に略放射状に広がる配置を示す。
【００３０】
上記のようなスロットの衝撃迂回機能を容易にするために、スロットの少なくともいくつかは、好ましくは、略ケースの中心からケースの周辺まで延びる幾何学的構成要素を有する線に沿って少なくとも部分的に配置された１つまたは複数のセクションを含み得る。スロットは線形である必要はない。例えば、１つまたは複数のスロットは、衝撃力に応答してスロット内を摺動するときに、スペーサーの動きに対して非線形抵抗を引き起こすように湾曲させることができる。これは、例えば、周辺の内側部分において、略ケースの中心からケースの周辺まで延びる基準線に沿って配置されるスロットを有する例を用いて実施され得るが、スロットが周囲の外側部分に向かって延びるように配置されるにつれ、それは基準線から離れて湾曲し、スロットに沿ったスペーサーの動きに対する抵抗を徐々に大きくする。
【００３１】
図１１は、本特許開示の本発明の原理による、携帯型電子機器の保護システム用のバンパーの実施形態を示している。説明のために、バンパー１５４は、図１~３に示されるケースの実施形態に取り付けられて示されるが、本発明の原理は、特定のケースに使用することに限定されない。
【００３２】
図１２は、図１１の矢印１２で示される断面のバンパー１５４の断面図である。図１２の図では、スペーサーは、ｈｌが衝撃吸収材料１１６および１２０の内側表面間の距離であるようなサイズになっている。バンパー１５４は、シェル１１４および１１８の外縁とそれぞれ係合する上部溝１６０および下部溝１６２を画定する外側部分１５６および内側部分１５８を含む。この構成では、外側部分１５６のリップ１６４および１６６は、シェル１１４および１１８の外縁と比較的少量が重なっている。バンパー１５４は、ネオプレンまたは他の適切なエラストマー材料から作られる。
【００３３】
図１３は、ｈ２が衝撃吸収材料１１６と１２０の内側表面の間の比較的小さい距離であるように、より短いスペーサーが使用されるバンパー１５４の別の断面図である。この構成では、シェル１１４および１１８の外縁は、溝１６０および１６２により深く沈み、外側部分１５６のリップ１６４および１６６は、図１２よりもシェルの外縁とより多くの量が重なる。図１３では、バンパー１５４の内側部分１５８は、より短い距離ｈ２によってわずかに圧縮されて示されるが、バンパー１５４および衝撃吸収材料１１６および１２０の相対硬度に応じて、衝撃吸収材料は、バンパー１５４に加えてまたはその代わりに圧縮され得る。
【００３４】
いくつかの実施形態では、セキュリティ目的のためのロック装置を収容するために、１つまたは複数の穴が含まれ得る。例えば、ＴＳＡロックは、図１０に示されるように、パネルの１つまたは複数の穴１６８にねじ貫通され得る。穴は、シェル１１４および１１８の両方、ならびに保護材料１１６および１２０の両方を通過し得る。
【００３５】
いくつかの実施形態では、追加の材料の１つまたは複数の層が、衝撃吸収材料１１６および１２０の露出表面上に適用され得る。これらの内側層は、さまざまな機能を実行できる。例えば、内側層は、衝撃吸収材料の層を保護することができる。内側層は滑らかな布または同様のコーティングでできており、機器を保護システムに摺動して出し入れするのが簡単である。あるいは、機器が保護システムから脱落するのを防ぐために、内側層は比較的滑りやすい材料でできていてもよい。いくつかの実施形態では、内側層は、意図しない取り外しを防止しながら、意図的に機器を摺動してフレームに出し入れすることを容易にするために、滑りやすさと滑り抵抗との間のバランスをとる表面を有し得る。他の実施形態では、衝撃吸収材料１１６および１２０は、これらの品質を有するように選択され得、それにより、材料の追加の内側層の必要性を排除する。
【００３６】
上記のシステムコンポーネントは、ラップトップ、タブレットコンピューター、およびその他の機器を安全に保つための保護的で軽量なシステムを提供する、無限に構成可能なエンクロージャーを形成することができる。モジュール構造により、異なるサイズの機器に使用でき、ユーザーが異なる機器を交換および／または取得するとき、時間の経過とともに成長および／または適合することができる。本発明の原理は、ラップトップやタブレットコンピューターを損傷させたくない人、電子機器を持って旅行し、預け入れ荷物の中でそれらを保護しなければならない人、オートバイや自転車に乗って、突然の衝撃や落下から機器を保護する必要がある人、機器をアップグレードするが、ハードウェアをアップグレードするたびに新しいケースにお金をかけたくない人、機器にハイタッチでハイエンドのエンクロージャーを重視する人、複数の機器に対して２つ以上のケースが必要であり、システムの機能を活用して、複数の個別の機器または複数の機器を単一のエンクロージャーで保護されるようにカスタム構成できる人、およびラップトップバッグ、バックパック、荷物、およびその他のバッグ内で追加の保護を必要とする人、のようなユーザーのいずれかまたは全てに用途の広い解決策を提供し得る。
【００３７】
本特許開示の本発明の原理は、本発明の概念から逸脱することなく、配置および詳細を変更することができるので、そのような変更および修正は、以下の特許請求の範囲に含まれるとみなされる。
【図１】
2021514118.tif 000003
【図２】
2021514118.tif 000004
【図３】
2021514118.tif 000005
【図４】
2021514118.tif 000006
【図５】
2021514118.tif 000007
【図６】
2021514118.tif 000008
【図７】
2021514118.tif 000009
【図８】
2021514118.tif 000010
【図９】
2021514118.tif 000011
【図９Ａ】
2021514118.tif 000012
【図１０】
2021514118.tif 000013
【図１１】
2021514118.tif 000014
【図１２】
2021514118.tif 000015
【図１３】
2021514118.tif 000016
【図１４】
2021514118.tif 000017
【国際調査報告】
2021514118.tif 000018